(57)【特許請求の範囲】
【請求項１】
通話を継続するために確認メッセージを送信するよう移動無線ターミナルに要求を行い且つ課金情報を含むメッセージを送信するように構成された移動無線ネットワークにおける、上記移動無線ターミナルにおいて、
移動無線ネットワークにおける移動加入者の識別及び確証についてのデータを記憶する取り外し可能な加入者識別モジュールと、
上記メッセージを受け取る手段と、を備え、
上記加入者識別モジュールは、該加入者識別モジュールに記憶された前納資金の額をチェックする手段を有し、
上記加入者識別モジュールは、上記資金の額が通話に不充分であるときは上記チェックする手段によるチェックに応答して上記確認メッセージを上記移動無線ターミナルを経て上記加入者識別モジュールが送信することを阻止するが、上記資金の額が通話に充分であるときは上記チェックする手段によるチェックに応答して上記確認メッセージを上記加入者識別モジュールが送信することを許す手段を有する、ことを特徴とする移動無線ターミナル。
【請求項２】
通話を継続するために確認メッセージを送信するよう移動無線ターミナルに要求を行い且つ課金情報を含むメッセージを送信するように構成された移動無線ネットワークにおける、上記移動無線ターミナルのための取り外し可能な加入者識別モジュールにおいて、
移動無線ネットワークにおける移動加入者の識別及び確証についてのデータを記憶する手段と、
上記加入者識別モジュールに記憶された前納資金の額をチェックする手段と、
上記資金の額が通話に不充分であるときは上記チェックする手段によるチェックに応答して上記確認メッセージを上記加入者識別モジュールが送信することを阻止するが、上記資金の額が通話に充分であるときは上記チェックする手段によるチェックに応答して上記確認メッセージを上記加入者識別モジュールが送信することを許す手段、とを備えることを特徴とする移動加入者識別モジュール。
【請求項３】
上記資金の額を上記移動無線ターミナルのディスプレイに表示する手段を更に備えた請求項１又は２に記載の移動無線ターミナル又は取り外し可能な加入者識別モジュール。
【請求項４】
上記移動無線ターミナルが、ユーザに、上記資金の額が所定の最小値に到達しつつあることを警告するようにさせる手段を更に備えた請求項１又は２に記載の移動無線ターミナル又は取り外し可能な加入者識別モジュール。
【請求項５】
ネットワーク及び移動無線ターミナルを備え、上記移動無線ターミナルの各々は、上記ネットワークにおける移動加入者の識別及び確証についてのデータを記憶する取り外し可能な加入者識別モジュールを受け入れる手段を有している移動無線システムにおいて、
上記ネットワークは、課金情報を含むメッセージであって、確認メッセージを送信するように移動無線ターミナルに要求するメッセージを送信し、
上記移動無線ターミナルはこのメッセージを受け取り、
上記加入者識別モジュールは、該モジュールに記憶された前納資金の額をチェックし、
上記加入者識別モジュールは、上記チェックに応答して上記前納資金の額が通話に不充分であるときに上記確認メッセージの送信を阻止し、
上記加入者識別モジュールは、上記チェックに応答して上記前納資金の額が通話に充分であるときに上記確認メッセージの送信を許し、
上記ネットワークは、上記確認メッセージが受け取られるのに応答して上記通話を継続し、そして
上記ネットワークは、上記確認メッセージが受け取られないのに応答して上記通話を遮断する、
という段階を備えたことを特徴とする通話制御方法。
【請求項６】
上記メッセージを送信する段階は、上記通話の設定中に行われ、
上記ネットワークは、上記確認メッセージが受け取られるのに応答して上記通話設定を完了し、そして
上記ネットワークは、上記確認メッセージが受け取られないのに応答して上記通話設定を遮断する請求項５に記載の通話制御方法。
【請求項７】
上記加入者識別モジュールは、上記ネットワークから受け取られる上記課金情報に基づいて上記前納資金の額を減少する請求項５又は６に記載の通話制御方法。
【請求項８】
上記通話は、上記移動無線ターミナルに着信する呼であるか又は上記移動無線ターミナルから発信する呼である請求項５に記載の通話制御方法。
【発明の詳細な説明】
発明の分野
本発明は、移動無線ターミナルの加入者の識別及び確証に永久的に関連したデータを含む取り外し可能なデータ記憶モジュールに係る。又、本発明は、このようなデータモジュールを用いた通話制御方法にも係る。
先行技術の説明
ＧＳＭの仕様「地上移動無線通信のためのヨーロッパデジタルセルラーシステム」は、移動加入者を識別し、確証（認証）しそして位置決めするために無線システムに必要とされる全ての情報エレメントが、ＳＩＭ（加入者識別モジュール）と称する専用モジュールに含まれ、このモジュールは、取り外し可能であって、異なる移動ステーションの使用を許すことを定義している。移動装置（ＭＥ）と称する移動ステーションの他の部分は、ＧＳＭサービスをアクセスするに必要であるが所与の加入者にとって特有でない全ての機構及び装置（例えば無線装置）を含むように意図される。更に、ＳＩＭは、移動装置から取り外すことができ、そして加入者識別モジュールと移動装置との間の間隔は、ＥＴＳＩ仕様、ＧＳＭ１１．１１において標準化されている。このインターフェイスは、ＩＣカードに関するＩＳＯ規格（ＩＳＯ  ７８１６）に従う。ＳＩＭは、ＧＳＭ移動遠隔通信が１つの用途であるところのマルチサービスカードの一部分である。この特徴により、移動装置は、異なる移動加入者が彼自身のＳＩＭを各々用いて順次に操作することのできる万能装置となる。ＳＩＭは、良く知られたクレジットカードのサイズのスマートカードでもよいし、或いは「プラグインＳＩＭ」と称する相当に小さなフォーマットでもよい。この後者のフォーマットは、ハンドポータブルなターミナル装置に適している。
ＳＩＭは、無線システムのサービスへのアクセスを可能にする。無線システムの通話及び他のサービスの課金動作は、無線ネットワークによって実行される。移動加入者により利用される各々の料金のかかるサービスについてのデータは、ホームネットワークのデータベースにおいて加入者の口座に記録される。累積された料金は、その後、移動加入者から周期的に勘定送付される。移動ターミナルの使用中に、「ｅ」パラメータと称する料金情報についての特定の通知を移動ステーションＭＳへ送信し、そしてＭＳのディスプレイに表示することができる。
上記の課金方法は、ほとんどの移動加入者にとって実用的なものである。移動加入者は、個人加入者識別モジュールＳＩＭのみを有し、そして移動ステーションの他部分、即ち移動装置を必要に応じて借りることも考えられる。全移動ステーションＭＳではなくてＳＩＭをこのように移行しそして異なる移動装置ＭＥを使用することを「ＳＩＭローミング」とも称している。全ての場合に、ネットワークは、接続及びサービスの料金をＳＩＭの所有者に宛てる。しかし、システムにおいて長期間の加入者関係を必要とせずに一時的に短い通知において無線システムを使用したい顧客もいる。このような一時的な顧客は、例えば、海外旅行者や、離れた場所を旅するビジネスマンを含む。又、サービスの課金及び勘定に関して異なるネットワークオペレータの間にローミング契約がないために通常のＳＩＭローミングは困難である。それ故、１つのネットワークにおいて有効なＳＩＭは、別のネットワークにおいては有効ではない。更に、１つのネットワークから別のネットワークへのＳＩＭローミングは可能ではあるが、新たな国の料率が分からず、従って、実際の接続料金を推定することが困難である。従って、潜在的であるが一時的な顧客のために無線ネットワークへ容易に且つ直ちにアクセスすることのできる必要性が存在している。
発明の開示
本発明の目的は、ネットワークにおいて加入者関係並びに広範な信用チェック及び勘定操作を必要とせずに無線システムにアクセスできるようにすることである。
本発明によれば、移動無線ターミナルのための取り外し可能な加入者識別モジュールであって、移動加入者の識別及び確証に永久的に関連したデータを記憶するための電気的に変更可能なメモリ手段と、上記移動無線ターミナルとインターフェイスしそして通信する手段とを備えた加入者識別モジュールは、将来の料金として前納した資金の額の記録を記憶するためのメモリ手段と、移動無線ネットワークから上記移動無線ターミナルを経て受け取られる料金情報に基づいて上記前納資金の額を減少する手段と、上記資金の額が所定の最小値に達するのに応答して上記移動無線ターミナルのそれ以上の送信を阻止する手段とを備えたことを特徴とする。
本発明の別の特徴によれば、移動無線ターミナルのための取り外し可能な加入者識別モジュールであって、移動加入者の識別及び確証に永久的に関連したデータを記憶するための電気的に変更可能なメモリ手段と、上記移動無線ターミナルとインターフェイスしそして通信する手段とを備えた加入者識別モジュールは、将来の料金として前納した資金の額の記録を記憶するためのメモリ手段と、上記加入者識別モジュールに記憶された料金情報に基づき移動無線ネットワークのサービスの利用中に上記前納資金の額を減少する手段と、上記資金の額が所定の最小値に達するのに応答して上記移動無線ターミナルのそれ以上の送信を阻止する手段とを備えたことを特徴とする。
本発明の別の特徴によれば、ネットワーク及び移動無線ターミナルを備え、該移動無線ターミナルの各々は、移動加入者の識別及び確証に永久的に関連したデータを記憶する取り外し可能な加入者識別モジュールを受け入れる手段を有している移動無線システムにおいて、上記ネットワークは、課金情報を含むメッセージであって、移動無線ターミナルが確認を送信するように要求するメッセージを送信し；上記移動無線ターミナルはこのメッセージを受け取り；上記加入者識別モジュールは、該モジュールに記憶された前納資金の額をチェックし；上記加入者識別モジュールは、上記チェックに応答して上記前納資金の額が通話に不充分であるときに上記確認の送信を阻止し；上記加入者識別モジュールは、上記チェックに応答して上記前納資金の額が通話に充分であるときに上記確認の送信を許し；上記ネットワークは、上記確認を受け取るのに応答して上記通話を継続し；そして上記ネットワークは、上記確認が受け取られないのに応答して上記通話を遮断するという段階を備えた通話制御方法が提供される。
本発明の更に別の特徴によれば、ネットワーク及び移動無線ターミナルを備えており、該移動無線ターミナルの各々は、移動加入者の識別及び確証に永久的に関連したデータを記憶する取り外し可能な加入者識別モジュールを受け入れる手段を有している移動無線システムにおいて、通話設定手順を開始し；上記加入者識別モジュールは、該モジュールに記憶された前納資金の額をチェックし；上記加入者識別モジュールは、上記チェックに応答して上記前納資金の額が通話に不充分であるときに上記移動無線ターミナルにおける通話設定手順の実行を不能にし；そして上記加入者識別モジュールは、上記チェックに応答して上記前納資金の額が通話に充分であるときに上記通話設定手順の実行を許すという段階を備えた通話制御方法が提供される。
本発明によれば、販売時点で前納された資金の額の記録を保持する機能が加入者識別モジュールＳＩＭ内に組み込まれる。この前納額は、最終的にネットワークオペレータへ送り返される。この支払記録は、ＳＩＭに予めプログラムされるか又はネットワークによって送られる料率に基づき、ネットワークのサービスを利用するにつれて次第に減少される。又、この支払記録は、移動装置に表示することもできる。ＳＩＭは、支払の残額を監視し、その支払残額が所定の最小値に到達したときに、移動ステーションからの又は移動ステーションへのそれ以上の出呼び（移動発信）又は入呼び（移動着信）を防止する。移動ステーションのこの阻止は、移動ステーションの移動装置部分へ出力される特定の阻止コマンドによるか、又はＳＩＭの確証アルゴリズムのようなネットワーク動作機能をディスエイブルすることにより行われる。本発明の１つの実施形態において、ネットワークは、課金情報メッセージを送信しそして移動ステーションからの確認を要求する。課金情報メッセージを受け取ると、ＳＩＭは、支払の残額をチェックし、そして残額が通話に対して充分でないのに応答して確認の送信を阻止する。プリセットされた時間内に確認を受け取らないと、ネットワークは、進行中通話又は設定手順を終了する。支払の残額が通話に対して充分である場合には、確認が送られ、通話設定手順又は通話が正常に続けられる。ネットワークのデータベースにおける加入者データは、加入者が前納したＳＩＭ加入者でありそして課金情報メッセージの確認が要求されたという指示を含む。
通常、発呼加入者は、進行中通話の全ての料金を負担する。しかしながら、ある無線システムにおいては、通話料金の一部分又は全部が入呼びを受け取る被呼者に宛てられる。本発明は、入呼び又は出呼びのいずれかに料金を課すように使用することができる。
本発明の前納ＳＩＭのユーザは、ネットワークオペレータ勘定データベースにおいて処理又は登録されず、全ての通話料金を支払っているので、ネットワークに依然としてアクセスできる。従って、ユーザのアドレス及び信用度評価は不要である。その結果、ネットワークオペレータは、広範囲な信用チェック及び勘定作業を行わずに短期間顧客を取得する。異なるネットワークオペレータの間でローミング契約を得る場合の問題は、ＧＳＭのようなグローバルな無線システムの普遍性を損なわないことである。というのは、前納ＳＩＭは、旅行者が新たな国のネットワークに直ちにアクセスできるようにレンタルの移動装置で利用できるからである。又、本発明は、ＳＩＭ所有者が、特に新たな国において未知の課金率での消費限界を知ることができるようにする。又、本発明は、旅行者が移動電話及び前納ＳＩＭを非常に短時間そして更に離れた場所で賃借りできるようにする。
【図面の簡単な説明】
以下、添付図面を参照し、本発明の実施形態を詳細に説明する。
図１は、セルラー移動無線システムのブロック図である。
図２は、乗物に搭載された移動ステーションを示す図である。
図３は、移動装置ＭＥ及び加入者識別モジュールＳＩＭより成る移動ステーションのブロック図である。
図４は、本発明の１つの実施形態による通話制御器の動作を示すフローチャートである。
図５は、本発明の別の実施形態による通話制御器の動作を示すフローチャートである。
図６、７及び８は、本発明の更に別の実施形態による通話制御器の動作を示すフローチャートである。
好ましい実施形態の詳細な説明
本発明は、加入者識別モジュールＳＩＭ等を用いた全ての移動無線システムに適用できる。本発明は、環ヨーロッパデジタル移動無線システムＧＳＭ又はその変形ＤＳＣ１８００に適用したときに特に効果的である。以下、本発明の好ましい実施形態は、ＧＳＭシステムに適用するものとして説明するが、本発明は、これに限定されるものではない。
図１は、ＧＳＭセルラー無線システムの一部分を概略的に示す。セルラー無線システムにおいて、システムによりカバーされるエリアは、無線セルに分割される。ベースステーションコントローラＢＳＣ１及びＢＳＣ２は、デジタル送信リンク１２により移動交換機ＭＳＣに接続される。更に、ベースステーションＢＴＳ１、ＢＴＳ２及びＢＴＳ３、ＢＴＳ４は、デジタル送信リンク１１によりベースステーションコントローラＢＳＣ１及びＢＳＣ２に各々接続される。各ＢＳＣ及びこれにより制御されるベースステーションＢＳＴは、ベースステーションシステムＢＳＳを形成する。単一のベースステーションＢＴＳの無線有効到達領域は、典型的に、単一の無線セルを形成する。各ベースステーションＢＴＳ１−ＢＴＳ４は、所定の一定数の物理的無線チャンネルを有している。ＧＳＭシステムの構成及び特性は、参考としてここに取り上げるＧＳＭ仕様及び文献「移動通信用ＧＳＭシステム(The GSM System for Mobile Communications)」、Ｍ．モーリー及びＭ．Ｂ．ボーテット、バライゼウ、フランス、ＩＳＢＮ：２−９５０７１９０−０−７に詳細に説明されている。
位置データのような加入者データは、ホーム位置レジスタ（ＨＬＲ）に永久的に記憶される。ＨＬＲは、それに関連した確証センター（図示せず）も有し、これは、一体的であってもよいし個別であってもよい。この確証センターは、加入者の確証データ及び確証アルゴリズムを含む。又、システムは、１つ以上のＭＳＣエリアに各々関連した多数のビジター位置レジスタ（ＶＬＲ）も備えている。ＶＬＲは、移動ステーションＭＳがＭＳＣのエリアを訪れている間に加入者データが記憶されるデータベースである。
ＧＳＭ仕様によれば、移動加入者に関連したＭＳに含まれる全ての情報エレメントを、加入者識別モジュールＳＩＭと称する特定のモジュール内に記憶しそして操作しなければならない。移動装置ＭＥと称するＭＳの残りの部分は、無線インターフェイスに特有のハードウェア及びソフトウェアを含んでいる。仕様ＧＳＭ２．１７は、ＳＩＭの動作を規定し、そして仕様ＧＳＭ１１．１１は、ＳＩＭにおける命令フォーマット及びエンコード方法、並びにＳＩＭとＭＥとの間のインターフェイスを規定する。ＳＩＭは、スマートカード、即ちＩＣカードＳＩＭであり、外界とのインターフェイスは、ＩＣカードに関するＩＳＯ規格、即ちＩＳＯ  ７８１６シリーズに基づく。標準サイズのＩＣカードＳＩＭは、ハンドポータブル無線装置としては大き過ぎ、従って、ＧＳＭシステム内に完全に標準化された専用モジュールであってＭＥに半永久的に設置されるよう意図されたプラグイン型のＳＩＭを使用することができる。
ＧＳＭシステムにおいては、移動加入者の識別がＳＩＭカードに基づく。移動加入者は、異なる移動装置ＭＥを使用することができるが、常に同じＳＩＭカードを使用し、従って、同じ加入者番号によって到達することができる。ＳＩＭカードがない状態では、ＭＥにより非常通話のみを行うことができる。ＭＥにおいて使用されるときは、ＳＩＭは、それがＧＳＭネットワーク動作であるとき、加入者に関連した機密情報（推奨勧告ＧＳＭ０２．０９に基づく）、例えば、一時的な移動加入者識別ＴＭＳＩ及びキーＫｉを記憶すると共に、推奨勧告ＧＳＭ０３．２０に基づく確証及び暗号キー発生機構（即ちアルゴリズムＡ３及びＡ８）を実施しなければならない。ユーザ自身の機密については、ＳＩＭは、１桁のＰＩＮコード（パーソナル識別番号）を取り扱わねばならない。更に、ＳＩＭの記憶能力は、ＧＳＭサービス及びＭＳ特徴に関連した移動加入者に関する付加的な情報エレメントを容易に記憶しそして管理することができる。
本発明によれば、販売時点で前納された資金の額の記録を保持する能力は、ＳＩＭに組み込まれる。前納された資金の額は、無線システムのサービスを利用する間に徐々に減少され、それ以上の通話が阻止される。例えば、ＧＳＭシステムにおいては、既存のＳＩＭが、その機密の中に電気的に変更できるメモリ位置を含むように変更される。これは、例えば、ＥＥＰＲＯＭ又はフラッシュメモリ回路において実施することができる。従って、このメモリ回路は、プログラミング装置を介してプログラムされた前納金額を表す数字をもつことができる。プログミングは、販売位置又は製造中に行うことができる。ＳＩＭカードは、再プログラム可能（再使用可能）であってもよいし、又は１回プログラム式（使い捨て式）であってもよい。
本発明は、移動無線システムにおいて、いかなる形式の移動無線ステーションＭＳ、例えば、ポータブル移動電話、或いは取り外し可能なメモリを使用できる乗物搭載ステーションに適用することができる。図２は、移動無線ステーションの一例として、乗物に搭載することのできる無線電話ユニットを示している。図２の移動ステーションＭＳは無線ユニット１を備え、これは、ケーブル８によりハンドセット２に接続される。ハンドセット２は、通常の部品及び機能、即ちマイクロホンと、スピーカと、ディスプレイ及びキーパッドにより形成されたユーザインターフェイスとを備えている。ハンドフリー動作を行えるようにするために、無線ユニット１は、個別のマイクロホン３及び個別のスピーカ２にも接続される。更に、ここで加入者識別モジュールＳＩＭと称するメモリカード又はメモリモジュール５のための個別の読み取り装置４がケーブル９により無線ユニット１に接続される。読み取り装置４は、これにＳＩＭカード５を挿入することのできるカードスロット６を含み、カードは後で容易に除去即ち取り出すことができる。乗物搭載の移動ステーションの一例は、フィンランドのノキア・モービル・フォーン社により製造されているＮｏｋｉａ  ＧＳＭカー電話、モデル６０５０である。又、移動ステーションは、カード読み取り装置、無線部分及びハンドセットが１つの部片に一体化されたポータブルターミナルであってもよい。このようなポータブル移動ステーションの一例は、フィンランドのノキア・モービル・フォーン社により製造されているＮｏｋｉａ  １０１ＧＳＭである。
図３は、移動ステーションＭＳの移動装置部分ＭＥのブロック図である。ＭＥは、アンテナ３と、デュープレクスフィルタ２８と、受信器２１と、送信器２９と、合成器２７とを備えている。受信方向においては、受信器２１に続いて、Ａ／Ｄコンバータ２２、検出器２３、インターリーブ解除手段２４、チャンネルデコーダ２５、スピーチデコーダ２６及びスピーカが直列に接続される。送信方向には、送信器２９の前に、マイクロホン、スピーチコーダ３４、チャンネルコーダ３３、インターリーブユニット３２、ＴＤＭＡバースト構成ユニット３１及び変調器３０が直列に接続される。上記の全てのブロックは、全ての出メッセージ及び入メッセージを処理するタイミング・制御ユニット３５により制御される。このタイミング・制御ユニット３５は、ケーブル９により、ＳＩＭカード読み取り装置４に更に接続される。
本発明によるＳＩＭカードの使用及び操作は、自動的な課金及び通話阻止機能が導入されたこと以外は、公知のＳＩＭカードと同様である。移動装置ＭＥに入れたときに前納ＳＩＭカードの動作を、図４を参照して以下に説明する。
図４において、通話設定は、ＧＳＭシステムにおいて通常そうであるように開始される（ステップ４１）。ＧＳＭシステムの１つの特徴は、課金情報を通話中に移動ステーションＭＳへ送信できることである。この情報は、料金通知(ADVICE of CHARGE)（情報）パラメータにおいて送信され、これは、ＧＳＭ仕様においては「ｅ」パラメータとも称する。この料金通知情報は、ＭＳのディスプレイに表示することができる。「ｅ」パラメータが通話設定中に受け取られると（ステップ４２）、課金情報がＭＥによりＳＩＭカードに送られ、該カードは、前納金が出呼び又は入呼びを各々行い又は受け取るのに充分であるか否かについてチェックする（ステップ４３）。ステップ４３において、前納金が通話に対して充分でないと判断したときには、通話設定がＳＩＭカードにより阻止される（ステップ４４）。通話設定は、ＳＩＭカードにより通常実行される必要な通話設定及び照合プログラムを停止することにより阻止される。このようなプログラムは、例えば、確証及び暗号化アルゴリズムＡ３及びＡ８である。
ステップ４３において、前納金が、出呼びを行うか又は入呼びを受けるのに充分であると判断したときは、通話設定手順が完了され（ステップ４５）、そして通話の時間（経過時間）を測定するタイマーが始動される（ステップ４６）。このタイマーは、ＳＩＭカードではなく、ＭＥに配置することもできる。規則的なインターバルで、或いは通話の終わりに、通話時間タイマーが読み取られ、現在の時間値が得られる（ステップ４７）。次いで、通話時間タイマーの値に時間料金率を乗算することにより、通話の経過時間に対する料金値が計算される（ステップ４８）。時間料金率、即ち課金情報は、ＳＩＭカードに予めプログラムされてもよいし、ネットワークから更に別の「ｅ」パラメータを介して送られてもよい。これにより得られた料金値は、次いで、ＳＩＭに記憶された前納金の初期値から減算される。減算の後に、前納金の残余値が、前納金の以前の値に代わってＳＩＭの電気的に変更可能なメモリに再書き込みされる。又、前納金の残余値はＭＥのディスプレイに表示することもできる。
ステップ４９において、前納金の残余値が所定の最小値に到達したかどうかのチェックが行われる。この最小値は、通常は、無線ネットワークのオペレータによってセットされる。この最小値以下の前納金では、それ以上の出呼び又は入呼びを許容することができない。ステップ４９において、前納金の残余値が最小値以下であると判断したときは、進行中の通話が終了され、それ以上の通話がＳＩＭカードによって阻止される（ステップ５０）。ステップ４９において、前納金の残余値が最小値より大きいと判断したときは、通話の終わりか否かのチェックが行われる（ステップ５１）。通話が続く場合には、プロセスはステップ４７へ戻る。通話の終わりである場合には、プロセスが終了となる。
図５は、前納金の値が通話の開始及び終了のみにおいて各々監視されたときのＳＩＭカードの動作を示したフローチャートである。図５において、ステップ５１、５２、５３、５４、５５及び５６は、図４のステップ４１、４２、４３、４４、４５及び４６と同様である。換言すれば、通話設定が許されると、通話時間タイマーが始動する。次いで、ステップ５７において、通話の終了を待機する。通話の終わりに、図４のステップ４７及び４８と各々同様に、ステップ５８及び５９において、通話時間タイマーが読み取られ、通話の料金値が計算され、そして計算された料金値が前納金の初期値から減算される。残余値がＳＩＭカードに記憶される。前納金の残余値が最小値以下であるときは、それ以上の出呼び又は入呼びがステップ６１においてＳＩＭカードにより阻止される。
本発明による前納ＳＩＭカードを用いた通話制御プロセスの更に別の実施形態が図６、７及び８に示されている。図６は、通話設定及び通話中のＳＩＭカードの動作を示すフローチャートである。図７及び８は、通話設定及び通話中の無線ネットワークの動作を各々示すフローチャートである。この実施形態において、新たな「ｅ」パラメータ、即ち料金通知（課金）がネットワーク及び移動ステーションにおいて実施される。
最初に、出呼びの場合には、移動ステーションＭＳは、移動ステーションＭＳが図６のステップ６１において通話設定を開始する。その後、無線ネットワークは、図７のステップ７１において通話設定を開始する。或いは又、入呼びの場合には（被呼加入者により支払われる）、ステップ７１において手順が開始され、無線ネットワークが通話設定を開始する。通常の通話設定手順の間に、無線ネットワークは、ネットワークデータベースに記憶された加入者データに基づいて、ＳＩＭカードが前納型のものであることを決定する（ステップ７２）。このために、加入者データは、ＳＩＭカードの形式の情報を含む。前納型ＳＩＭカードの通知の後に、無線ネットワークは、通常の「ｅ」パラメータに代わって、新たな「ｅ」パラメータを送信し、これは、確認（確認メッセージ）を要求し（ステップ７３）、設定された時間周期中、ＭＳからの確認を待機する。
ＭＳは、ステップ６２において確認を要求する「ｅ」パラメータを受け取り、そしてＳＩＭカードは、前納金が通話に対して充分であるか否かをチェックする（ステップ６３）。ステップ６３において通話のための前納金が充分でない場合には、ＳＩＭカードは、ステップ６４において「ｅ」パラメータの確認を阻止しそして通話設定を阻止する。
ステップ７４において、設定された時間周期内に無線ネットワークにより確認が受け取られないときは、無線ネットワークは、図７のステップ７５において通話設定を終了する。
図６のステップ６３において、前納金が通話に対して充分であるときには、ＳＩＭカードは、ステップ６５において、「ｅ」パラメータの確認と、通話設定の完了を許す。図７のステップ７４において、無線ネットワークにより設定時間周期内に確認が受け取られたときには、無線ネットワークがステップ７６において通話設定を完了する。
通話の始めに、ＭＳにおいて通話時間タイマーがスタートされる（ステップ６６）。通話中に、無線ネットワークは、図８のステップ８１において確認に関する「ｅ」パラメータを送信し、そしてステップ８２において、確認を設定時間中待機する。ＭＳは、図６のステップ６７において確認を要求する「ｅ」パラメータを受け取り、そしてステップ６８において通話時間タイマーを読み取る。ステップ６９において、通話の料金値が計算され、そして前納金の初期値から減算される。前納金の残余値がステップ６００において設定最小値より大きいときは、ＳＩＭカードは、ステップ６０１において確認の送信を許す。その後、ステップ６０２において通話の終了が通知されないときには、プロセスがステップ６７へ復帰する。通話の終了が通知された場合には、プロセスは終了となる。図８のステップ８２において無線ネットワークが設定時間周期内に確認を受け取るときには、無線ネットワークは、次の「ｅ」パラメータを送信するときまで、通常の通話制御プロセスを続ける。
図６のステップ６００において、前納金の残余値が最小値以下であるときは、ＳＭは、ステップ６０３において、「ｅ」パラメータの確認を阻止し、通話を終了し、そしてそれ以上の通話を阻止する。同様に、ステップ８２において無線ネットワークにより設定時間周期内に確認が受け取られないときは、無線ネットワークは、ステップ８３において通話を終了する。
図７のステップ７２を省略し、全ての形式のＳＩＭカードから「ｅ」パラメータの確認を要求するようにしてもよい。しかしながら、このように変更すると、ネットワークに膨大な数の不必要な信号が生じ、それ故、新たな「ｅ」パラメータを選択的に使用するのが好ましい。
添付図面及びそれを参照した以上の説明は、本発明を単に開示するものに過ぎない。請求の範囲を逸脱することなく上記実施形態に対し多数の変更や修正が明らかとなろう。
【図１】
0003676807.tif 000002
【図３】
0003676807.tif 000003
【図２】
0003676807.tif 000004
【図４】
0003676807.tif 000005
【図５】
0003676807.tif 000006
【図６】
0003676807.tif 000007
【図７】
0003676807.tif 000008
【図８】
0003676807.tif 000009